(57)【特許請求の範囲】
【請求項１】
第１操作部及び第２操作部が操作されたことに基づき遊技に用いる遊技媒体の出率を変更する遊技機において、
前記第１操作部を覆う第１被覆位置と、前記第１操作部が露出する第１露出位置とにスライド移動可能な第１蓋部材と、
前記第２操作部を覆う第２被覆位置と、前記第２操作部が露出する第２露出位置とにスライド移動可能な第２蓋部材と
を設け、
前記第１蓋部材が前記第１被覆位置から前記第１露出位置に移動する向きと、前記第２蓋部材が前記第２被覆位置から前記第２露出位置に移動する向きとが異なるように前記第１蓋部材と前記第２蓋部材を取り付けるとともに、前記第１蓋部材が前記第１被覆位置にある場合、前記第１蓋部材により前記第２蓋部材が前記第２露出位置側に移動することを規制され、前記第２蓋部材が前記第２露出位置にある場合、前記第２蓋部材により前記第１蓋部材が前記第１被覆位置側に移動することを規制される構成とし、
前記第２蓋部材が前記第２露出位置にある場合、前記第１蓋部材により前記第２蓋部材が前記第２被覆位置側に移動することを規制される構成としたことを特徴とする遊技機。
【発明の詳細な説明】
【技術分野】
【０００１】
本発明は、スロットマシン等の遊技機に関するものである。
【背景技術】
【０００２】
例えばスロットマシン等の遊技機においては、遊技に関する制御を行うための制御装置が筐体内部に設けられており、当該制御装置により、当たり抽選や遊技媒体の付与に関する制御等が行われるようになっている。また、制御装置には、例えばビッグボーナス役等の所定役の当選確率が異なる抽選テーブルが予め複数記憶されており、筐体内部には、当たり抽選の際に用いる抽選テーブルを設定するための操作部が設けられている。そして、遊技機を設置する遊技場の管理者等が操作部を操作することにより、遊技媒体の出率（使用された遊技媒体に対する付与した遊技媒体の割合の期待値）を調整できるようになっている。
【０００３】
設定されている抽選テーブルを変更する（設定変更する）場合には、先ず、筐体の前面側を覆う前面扉を開放し、筐体内部に設けられた電源スイッチをオフ操作して電源を遮断する。その後、第１操作部としての設定キースイッチに設定キーを挿入して設定キースイッチをオン操作し、かかる状態で電源スイッチをオン操作して電源を復旧させる。そして、第２操作部としての設定変更スイッチを操作することで所望の抽選テーブルを選択し、スタートレバーを操作することで抽選テーブルを決定する。その後、設定キースイッチをオフ操作する。上記操作を行うことにより、それ以降の当たり抽選が選択された抽選テーブルを用いて行われるようになる。
【０００４】
かかる構成の遊技機においては、電源スイッチ，設定キースイッチ及び設定変更スイッチが筐体内部に設けられており、遊技場の管理者等に限って前面扉を正規に開放できるため、遊技場の管理者等によって設定された抽選テーブルから当該抽選テーブルより出率の高い抽選テーブルに変更される不正を抑制することが可能となる（例えば特許文献１参照）。
【先行技術文献】
【特許文献】
【０００５】
【特許文献１】特開２００７−１８１６２２号公報
【発明の概要】
【発明が解決しようとする課題】
【０００６】
しかしながら、例えば前面扉と筐体の隙間から針金等を筐体内部に挿入し、前面扉を開放することなく設定を変更する不正行為が考えられ、かかる不正行為は、前面扉が開放されないために発見が困難であると考えられる。
【０００７】
なお、以上の問題は、抽選テーブルを複数備えたスロットマシンに限らず、遊技機内部に設けられた操作部を操作することで設定変更を行うことが可能な他の遊技機にも該当する問題である。
【０００８】
本発明は上記例示した事情等に鑑みてなされたものであり、設定が不正に変更されることを好適に抑制することが可能な遊技機を提供することを目的とするものである。
【課題を解決するための手段】
【０００９】
請求項１に記載の発明では、第１操作部及び第２操作部が操作されたことに基づき遊技に用いる遊技媒体の出率を変更する遊技機において、前記第１操作部を覆う第１被覆位置と、前記第１操作部が露出する第１露出位置とにスライド移動可能な第１蓋部材と、前記第２操作部を覆う第２被覆位置と、前記第２操作部が露出する第２露出位置とにスライド移動可能な第２蓋部材とを設け、前記第１蓋部材が前記第１被覆位置から前記第１露出位置に移動する向きと、前記第２蓋部材が前記第２被覆位置から前記第２露出位置に移動する向きとが異なるように前記第１蓋部材と前記第２蓋部材を取り付けるとともに、前記第１蓋部材が前記第１被覆位置にある場合、前記第１蓋部材により前記第２蓋部材が前記第２露出位置側に移動することを規制され、前記第２蓋部材が前記第２露出位置にある場合、前記第２蓋部材により前記第１蓋部材が前記第１被覆位置側に移動することを規制される構成とし、前記第２蓋部材が前記第２露出位置にある場合、前記第１蓋部材により前記第２蓋部材が前記第２被覆位置側に移動することを規制される構成としたことを特徴とする。
【発明の効果】
【００１０】
設定が不正に変更されることを好適に抑制することが可能となる。
【図面の簡単な説明】
【００１１】
【図１】一実施の形態におけるスロットマシンの正面図。
【図２】前面扉を閉じた状態を示すスロットマシンの斜視図。
【図３】前面扉を開いた状態を示すスロットマシンの斜視図。
【図４】前面扉の背面図。
【図５】筐体の正面図。
【図６】第１蓋部材及び第２蓋部材を閉鎖した状態を示す主制御装置の正面図。
【図７】第１蓋部材及び第２蓋部材を開放した状態を示す主制御装置の正面図。
【図８】第１蓋部材と第２蓋部材が共に閉鎖位置にある状態を示す要部拡大図。
【図９】第１蓋部材が開放位置にあって第２蓋部材が閉鎖位置にある状態を示す要部拡大図。
【図１０】第１蓋部材が規制解除位置にあって第２蓋部材が閉鎖位置にある状態を示す要部拡大図。
【図１１】第１蓋部材が規制解除位置にあって第２蓋部材が開放位置にある状態を示す要部拡大図。
【図１２】当選確率設定処理を示すフローチャート。
【発明を実施するための形態】
【００１２】
以下、本発明の遊技機を手段として区分して示し、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【００１３】
手段１．遊技機前方に開口された筐体と、
該筐体の開口側に開閉可能に取り付けられた扉体と
を備え、
遊技機内部に設けられた第１操作部及び第２操作部が操作されたことに基づき遊技に用いる遊技媒体の出率を変更する遊技機において、
前記第１操作部を覆う第１被覆位置と、前記第１操作部が露出する第１露出位置とにスライド移動可能な第１蓋部材と、
前記第２操作部を覆う第２被覆位置と、前記第２操作部が露出する第２露出位置とにスライド移動可能な第２蓋部材と
を設け、
前記第１蓋部材が前記第１被覆位置から前記第１露出位置に移動する向きと、前記第２蓋部材が前記第２被覆位置から前記第２露出位置に移動する向きとが異なるように前記第１蓋部材と前記第２蓋部材を取り付けるとともに、前記第１蓋部材が前記第１被覆位置にある場合、前記第１蓋部材により前記第２蓋部材が前記第２露出位置側に移動することを規制され、前記第２蓋部材が前記第２露出位置にある場合、前記第２蓋部材により前記第１蓋部材が前記第１被覆位置側に移動することを規制される構成としたことを特徴とする遊技機。
【００１４】
手段１によれば、第１操作部を覆う第１被覆位置にスライド移動可能な第１蓋部材と、第２操作部を覆う第２被覆位置にスライド移動可能な第２蓋部材を設けたため、遊技機を設置する遊技場の管理者等が出率を設定した後、各蓋部材を対応する被覆位置に移動させた後に扉体を閉鎖すれば、扉体を開放することなく前記設定が不正に変更されることを好適に抑制することが可能となる。
【００１５】
また、第１蓋部材が第１被覆位置から第１露出位置に移動する向きと、第２蓋部材が第２被覆位置から第２露出位置に移動する向きとが異なるように第１蓋部材と第２蓋部材を取り付けたため、筐体と扉体の隙間から針金等が挿入され、一方の蓋部材が対応する露出位置側に移動するよう前記針金等により引っ張られたとしても、他方の蓋部材が対応する露出位置に移動することを防止することができる。故に、仮に扉体を開放することなく筐体と扉体の隙間から針金等が挿入されたとしても、第１操作部と第２操作部を共に露出させることを困難なものとすることができ、設定が不正に変更されることを好適に抑制することが可能となる。加えて、針金等を用いて両蓋部材を対応する露出位置に移動させるためには、筐体と扉体の隙間から針金等を複数挿入させ、これら針金等を異なる向きに引っ張る必要がある。故に、不正行為を目立たせることが可能となり、不正行為を容易に発見することが可能となる。
【００１６】
さらに、第１蓋部材が第１被覆位置にある場合、第１蓋部材により第２蓋部材が第２露出位置側に移動することを規制される。かかる構成においては、第１蓋部材を第１露出位置側に移動させない限り、第２蓋部材を第２露出位置に移動させることができず、第１蓋部材を第１露出位置側に移動させた後に第２蓋部材を第２露出位置側に移動させる必要がある。このように、両操作部を露出させるためには各蓋部材を特定の順序で移動させる必要がある構成とすることにより、両操作部が不正に露出されることを困難なものとすることができ、設定が不正に変更されることを好適に抑制することが可能となる。
【００１７】
このように両操作部が不正に露出されることを困難な構成とした場合、遊技機を設置する遊技場の管理者等が設定を変更する際の作業すなわち正規に設定を変更する際の作業が煩雑化する可能性が懸念される。そこで、第２蓋部材が第２露出位置にある場合、第２蓋部材により第１蓋部材が第１被覆位置側に移動することを規制される構成とした。かかる構成とすることにより、遊技場の管理者等が第１蓋部材を第１被覆位置に移動しないように保持するのではなく第２蓋部材により第１蓋部材を保持させることが可能となり、正規に設定を変更する際の作業が煩雑化することを抑制することが可能となる。
【００１８】
以上の結果、正規に設定を変更する際の作業が煩雑化することを抑制しつつ、不正に設定が変更されることを好適に抑制することが可能となる。
【００１９】
なお、「第１操作部（第２操作部）を覆う」とは、第１操作部（第２操作部）が操作不可能に覆われていれば良い。以下も同じである。
【００２０】
手段２．上記手段１において、前記第１蓋部材が前記第１被覆位置から前記第１露出位置に移動する向きと、前記第２蓋部材が前記第２被覆位置から前記第２露出位置に移動する向きとが交差するように、且つ、前記第１蓋部材が前記第１被覆位置にある場合、前記第２蓋部材が前記第２露出位置にある場合に前記第２蓋部材の占める領域の少なくとも一部に前記第１蓋部材が位置するように前記第１蓋部材と前記第２蓋部材を取り付けたことを特徴とする遊技機。
【００２１】
手段２によれば、第１蓋部材が第１被覆位置から第１露出位置に移動する向きと、第２蓋部材が第２被覆位置から第２露出位置に移動する向きとが交差するように、且つ、第１蓋部材が第１被覆位置にある場合、第２蓋部材が第２露出位置にある場合に第２蓋部材の占める領域の少なくとも一部に第１蓋部材が位置するように第１蓋部材と第２蓋部材が取り付けられている。かかる構成とすることにより、第１蓋部材が第１被覆位置にある状況で第２蓋部材を第２被覆位置から第２露出位置側に移動させようとした場合に、第２蓋部材が第１蓋部材と当接することで第２露出位置側への移動を規制できる。
【００２２】
手段３．上記手段２において、前記第１蓋部材を、前記第１被覆位置から前記第１露出位置側に移動させた場合に前記第１露出位置でそれ以上の移動が規制される構成とし、前記第２蓋部材を、前記第１蓋部材が前記第１被覆位置と前記第１露出位置との間の規定位置にある場合に限り、前記第２露出位置側への移動が許容される構成としたことを特徴とする遊技機。
【００２３】
手段３によれば、第２蓋部材は、第１蓋部材が規定位置にある場合に限り、第２露出位置側への移動が許容される。かかる構成とすることにより、設定が不正に変更されることを好適に抑制することが可能となる。筐体と扉体の隙間から針金等が挿入され、第１蓋部材が第１露出位置側に移動するよう前記針金等により引っ張られた場合、第１蓋部材は規定位置を通過し第１露出位置でそれ以上の移動が規制されることとなるが、第１蓋部材が第１露出位置にある場合、第２蓋部材は第２露出位置側への移動が規制されたままであり、第２操作部を露出させることができないからである。
【００２４】
手段４．上記手段３において、前記第１蓋部材には、前記第１蓋部材が前記規定位置にある場合に前記第２蓋部材を挿入させることが可能な開口部を設けたことを特徴とする遊技機。
【００２５】
手段４によれば、第１蓋部材には、第１蓋部材が規定位置にある場合に第２蓋部材を挿入させることが可能な開口部が設けられている。かかる構成とすることにより、第１蓋部材を規定位置に移動させれば第２蓋部材の第２露出位置側への移動規制を解除することができ、遊技機を設置する遊技場の管理者等が出率を設定する際の作業、すなわち正規に出率を設定する際の作業が煩雑化することを抑制することが可能となる。
【００２６】
手段５．上記手段２乃至手段４のいずれかにおいて、前記第２蓋部材が前記第２露出位置にある場合、前記第１蓋部材により前記第２蓋部材が前記第２被覆位置側に移動することを規制される構成としたことを特徴とする遊技機。
【００２７】
手段５によれば、第２蓋部材が第２露出位置にある場合、第１蓋部材により第２蓋部材の第２被覆位置側への移動が規制される。かかる構成とすることにより、第２蓋部材が第２露出位置にある場合、一方の蓋部材により他方の蓋部材が対応する被覆位置側に移動することを規制することができる。故に、遊技場の管理者等が両蓋部材を対応する被覆位置に移動しないように保持することなく両操作部を操作することが可能となり、正規に設定を変更する際の作業が煩雑化することを抑制することが可能となる。
【００２８】
手段６．上記手段３乃至手段５のいずれかにおいて、前記第１蓋部材が前記規定位置にある場合、前記第１操作部が露出するように前記第１蓋部材と前記第２蓋部材を配置したことを特徴とする遊技機。
【００２９】
手段６によれば、第１蓋部材が規定位置に位置するとともに第２蓋部材が第２露出位置に位置する場合には、第１操作部と第２操作部が共に露出することとなる。故に、遊技場の管理者等が出率を設定する際の作業を容易なものとすることが可能となる。
【００３０】
手段７．上記手段１乃至手段６のいずれかにおいて、前記第１操作部は、遊技媒体の出率を変更する場合と、遊技機を所定の異常状態から正常状態に復帰させる場合とに操作されるものであって、前記第１蓋部材を、前記第１蓋部材と前記第２蓋部材が共に対応する被覆位置にある場合、前記第１露出位置側に移動することを少なくとも前記第２蓋部材により規制されない構成としたことを特徴とする遊技機。
【００３１】
手段７によれば、第１操作部は、遊技媒体の出率を変更する場合の他に、遊技機を所定の異常状態から正常状態に復帰させる場合にも操作される。つまり、第１操作部は、遊技機を設置する遊技場の営業時間内に操作される可能性がある。そこで、当該第１操作部を覆う第１被覆位置に移動可能な第１蓋部材は、第２蓋部材を第２露出位置側に移動させることなく第１露出位置側に移動させることが可能な構成とすることにより、遊技場の管理者等が遊技機を所定の異常状態から正常状態に復帰させる際の作業が煩雑化することを抑制することが可能となる。
【００３２】
手段８．遊技機前方に開口された筐体と、
該筐体の開口側に開閉可能に取り付けられた扉体と
を備え、
遊技機内部に設けられた第１操作部及び第２操作部が操作されたことに基づき遊技に用いる遊技媒体の出率を変更する遊技機において、
前記第１操作部を覆う第１被覆位置と、前記第１操作部が露出する第１露出位置とにスライド移動可能な第１蓋部材と、
前記第２操作部を覆う第２被覆位置と、前記第２操作部が露出する第２露出位置とにスライド移動可能な第２蓋部材と
を設け、
前記第１蓋部材が前記第１被覆位置から前記第１露出位置に移動する向きと、前記第２蓋部材が前記第２被覆位置から前記第２露出位置に移動する向きとが異なるように前記第１蓋部材と前記第２蓋部材を取り付けるとともに、前記第２蓋部材が前記第２被覆位置にある場合、前記第２蓋部材により前記第１蓋部材が前記第１露出位置側に移動することを規制され、前記第１蓋部材が前記第１露出位置にある場合、前記第１蓋部材により前記第２蓋部材が前記第２被覆位置側に移動することを規制される構成としたことを特徴とする遊技機。
【００３３】
手段８によれば、第１操作部を覆う第１被覆位置にスライド移動可能な第１蓋部材と、第２操作部を覆う第２被覆位置にスライド移動可能な第２蓋部材を設けたため、遊技機を設置する遊技場の管理者等が出率を設定した後、各蓋部材を対応する被覆位置に移動させた後に扉体を閉鎖すれば、扉体を開放することなく前記設定が不正に変更されることを好適に抑制することが可能となる。
【００３４】
また、第１蓋部材が第１被覆位置から第１露出位置に移動する向きと、第２蓋部材が第２被覆位置から第２露出位置に移動する向きとが異なるように第１蓋部材と第２蓋部材を取り付けたため、筐体と扉体の隙間から針金等が挿入され、一方の蓋部材が対応する露出位置側に移動するよう前記針金等により引っ張られたとしても、他方の蓋部材が対応する露出位置に移動することを防止することができる。故に、仮に扉体を開放することなく筐体と扉体の隙間から針金等が挿入されたとしても、第１操作部と第２操作部を共に露出させることを困難なものとすることができ、設定が不正に変更されることを好適に抑制することが可能となる。加えて、針金等を用いて両蓋部材を対応する露出位置に移動させるためには、筐体と扉体の隙間から針金等を複数挿入させ、これら針金等を異なる向きに引っ張る必要がある。故に、不正行為を目立たせることが可能となり、不正行為を容易に発見することが可能となる。
【００３５】
さらに、第２蓋部材が第２被覆位置にある場合、第２蓋部材により第１蓋部材が第１露出位置側に移動することを規制される。かかる構成においては、第２蓋部材を第２露出位置側に移動させない限り、第１蓋部材を第１露出位置に移動させることができず、第２蓋部材を第２露出位置側に移動させた後に第１蓋部材を第１露出位置側に移動させる必要がある。このように、両操作部を露出させるためには各蓋部材を特定の順序で移動させる必要がある構成とすることにより、両操作部が不正に露出されることを困難なものとすることができ、設定が不正に変更されることを好適に抑制することが可能となる。
【００３６】
このように両操作部が不正に露出されることを困難な構成とした場合、遊技機を設置する遊技場の管理者等が設定を変更する際の作業すなわち正規に設定を変更する際の作業が煩雑化する可能性が懸念される。そこで、第１蓋部材が第１露出位置にある場合、第１蓋部材により第２蓋部材が第２被覆位置側に移動することを規制される構成とした。かかる構成とすることにより、遊技場の管理者等が第２蓋部材を第２被覆位置に移動しないように保持するのではなく第１蓋部材により第２蓋部材を保持させることが可能となり、正規に設定を変更する際の作業が煩雑化することを抑制することが可能となる。
【００３７】
以上の結果、正規に設定を変更する際の作業が煩雑化することを抑制しつつ、不正に設定が変更されることを好適に抑制することが可能となる。
【００３８】
なお、本構成に上記手段２乃至手段６のいずれかの構成を適用しても良く、かかる場合には相乗効果が期待できる。但し、かかる場合には、第１蓋部材を第２蓋部材と読み替えると共に第２蓋部材を第１蓋部材と読み替えた上で適用する必要がある。
【００３９】
手段９．上記手段１乃至手段８のいずれかにおいて、遊技及び遊技媒体の出率に関わる主要な制御を実行する制御基板を備え、前記制御基板に前記第１操作部と前記第２操作部を直接搭載したことを特徴とする遊技機。
【００４０】
手段９によれば、第１操作部と第２操作部は制御基板に直接搭載されている。かかる構成とすることにより、制御基板と各操作部とを電気的に接続するケーブル等が不要となり、操作部を操作するのではなく前記ケーブル等をショートさせて設定を変更する不正を防止することが可能となる。
【００４１】
手段１０．上記手段９において、前記制御基板を前記筐体内の後部に配置したことを特徴とする遊技機。
【００４２】
手段１０によれば、制御基板は筐体内の後部に配置されている。かかる構成とすることにより、筐体の前端部すなわち筐体と扉体の隙間から両操作部までの距離を長くすることが可能となり、針金等を用いて両操作部を操作することを困難なものとすることが可能となる。
【００４３】
手段１１．上記手段１乃至手段１０のいずれかにおいて、前記第１操作部及び前記第２操作部を、前記筐体から前記扉体が開放されるとともに少なくとも前記各蓋部材が対応する露出位置に移動された場合、遊技機前方から視認可能となる位置に設けたことを特徴とする遊技機。
【００４４】
手段１１によれば、第１操作部及び第２操作部は、筐体から扉体が開放されるとともに少なくとも各蓋部材が対応する露出位置に移動された場合、遊技機前方から視認可能となる位置に設けられている。筐体から扉体が開放された場合に遊技機前方から視認可能となる位置に第１操作部及び第２操作部が設けられた構成においては、遊技場の管理者等が出率を設定する際に各操作部を容易に操作することができる一方、筐体と扉体の隙間から針金等が挿入された場合、前記針金等を用いて容易に各操作部が操作される可能性が懸念される。しかしながら、上記手段１乃至手段１０のいずれかの構成を適用することにより、上記懸念を好適に解消することが可能となる。
【００４５】
なお、各蓋部材を透明な合成樹脂材料等により形成した構成においては、筐体から扉体が開放されるとともに各蓋部材が対応する露出位置に移動された場合に限らず、筐体から扉体が開放された場合にも各操作部が視認可能となる。
【００４６】
手段１２．第１操作部及び第２操作部が操作されたことに基づき遊技に用いる遊技媒体の出率を変更する遊技機において、
前記第１操作部を覆う第１被覆位置と、前記第１操作部が露出する第１露出位置とにスライド移動可能な第１蓋部材と、
前記第２操作部を覆う第２被覆位置と、前記第２操作部が露出する第２露出位置とにスライド移動可能な第２蓋部材と
を設け、
前記第１蓋部材が前記第１被覆位置から前記第１露出位置に移動する向きと、前記第２蓋部材が前記第２被覆位置から前記第２露出位置に移動する向きとが異なるように前記第１蓋部材と前記第２蓋部材を取り付けるとともに、前記第１蓋部材が前記第１被覆位置にある場合、前記第１蓋部材により前記第２蓋部材が前記第２露出位置側に移動することを規制され、前記第２蓋部材が前記第２露出位置にある場合、前記第２蓋部材により前記第１蓋部材が前記第１被覆位置側に移動することを規制される構成としたことを特徴とする遊技機。
【００４７】
手段１２によれば、第１操作部を覆う第１被覆位置にスライド移動可能な第１蓋部材と、第２操作部を覆う第２被覆位置にスライド移動可能な第２蓋部材を設けたため、遊技機を設置する遊技場の管理者等が出率を設定した後、各移動部材が対応する被覆位置に移動していれば、前記設定が不正に変更されることを好適に抑制することが可能となる。
【００４８】
また、第１蓋部材が第１被覆位置から第１露出位置に移動する向きと、第２蓋部材が第２被覆位置から第２露出位置に移動する向きとが異なるように第１蓋部材と第２蓋部材を取り付けたため、一方の蓋部材が対応する露出位置側に移動するよう針金等により引っ張られたとしても、他方の蓋部材が対応する露出位置に移動することを防止することができる。故に、第１操作部と第２操作部を共に露出させることを困難なものとすることができ、設定が不正に変更されることを好適に抑制することが可能となる。加えて、針金等を用いて両蓋部材を対応する露出位置に移動させるためには、針金等を複数挿入させ、これら針金等を異なる向きに引っ張る必要がある。故に、不正行為を目立たせることが可能となり、不正行為を容易に発見することが可能となる。
【００４９】
さらに、第１蓋部材が第１被覆位置にある場合、第１蓋部材により第２蓋部材が第２露出位置側に移動することを規制される。かかる構成においては、第１蓋部材を第１露出位置側に移動させない限り、第２蓋部材を第２露出位置に移動させることができず、第１蓋部材を第１露出位置側に移動させた後に第２蓋部材を第２露出位置側に移動させる必要がある。このように、両操作部を露出させるためには各蓋部材を特定の順序で移動させる必要がある構成とすることにより、両操作部が不正に露出されることを困難なものとすることができ、設定が不正に変更されることを好適に抑制することが可能となる。
【００５０】
このように両操作部が不正に露出されることを困難な構成とした場合、遊技機を設置する遊技場の管理者等が設定を変更する際の作業すなわち正規に設定を変更する際の作業が煩雑化する可能性が懸念される。そこで、第２蓋部材が第２露出位置にある場合、第２蓋部材により第１蓋部材が第１被覆位置側に移動することを規制される構成とした。かかる構成とすることにより、遊技場の管理者等が第１蓋部材を第１被覆位置に移動しないように保持するのではなく第２蓋部材により第１蓋部材を保持させることが可能となり、正規に設定を変更する際の作業が煩雑化することを抑制することが可能となる。
【００５１】
以上の結果、正規に設定を変更する際の作業が煩雑化することを抑制しつつ、不正に設定が変更されることを好適に抑制することが可能となる。
【００５２】
手段１３．第１操作部及び第２操作部が操作されたことに基づき遊技に用いる遊技媒体の出率を変更する遊技機において、
前記第１操作部を覆う第１被覆位置と、前記第１操作部が露出する第１露出位置とにスライド移動可能な第１蓋部材と、
前記第２操作部を覆う第２被覆位置と、前記第２操作部が露出する第２露出位置とにスライド移動可能な第２蓋部材と
を設け、
前記第１蓋部材が前記第１被覆位置から前記第１露出位置に移動する向きと、前記第２蓋部材が前記第２被覆位置から前記第２露出位置に移動する向きとが異なるように前記第１蓋部材と前記第２蓋部材を取り付けるとともに、前記第２蓋部材が前記第２被覆位置にある場合、前記第２蓋部材により前記第１蓋部材が前記第１露出位置側に移動することを規制され、前記第１蓋部材が前記第１露出位置にある場合、前記第１蓋部材により前記第２蓋部材が前記第２被覆位置側に移動することを規制される構成としたことを特徴とする遊技機。
【００５３】
手段１３によれば、第１操作部を覆う第１被覆位置にスライド移動可能な第１蓋部材と、第２操作部を覆う第２被覆位置にスライド移動可能な第２蓋部材を設けたため、遊技機を設置する遊技場の管理者等が出率を設定した後、各移動部材が対応する被覆位置に移動していれば、前記設定が不正に変更されることを好適に抑制することが可能となる。
【００５４】
また、第１蓋部材が第１被覆位置から第１露出位置に移動する向きと、第２蓋部材が第２被覆位置から第２露出位置に移動する向きとが異なるように第１蓋部材と第２蓋部材を取り付けたため、一方の蓋部材が対応する露出位置側に移動するよう針金等により引っ張られたとしても、他方の蓋部材が対応する露出位置に移動することを防止することができる。故に、第１操作部と第２操作部を共に露出させることを困難なものとすることができ、設定が不正に変更されることを好適に抑制することが可能となる。加えて、針金等を用いて両蓋部材を対応する露出位置に移動させるためには、針金等を複数挿入させ、これら針金等を異なる向きに引っ張る必要がある。故に、不正行為を目立たせることが可能となり、不正行為を容易に発見することが可能となる。
【００５５】
さらに、第２蓋部材が第２被覆位置にある場合、第２蓋部材により第１蓋部材が第１露出位置側に移動することを規制される。かかる構成においては、第２蓋部材を第２露出位置側に移動させない限り、第１蓋部材を第１露出位置に移動させることができず、第２蓋部材を第２露出位置側に移動させた後に第１蓋部材を第１露出位置側に移動させる必要がある。このように、両操作部を露出させるためには各蓋部材を特定の順序で移動させる必要がある構成とすることにより、両操作部が不正に露出されることを困難なものとすることができ、設定が不正に変更されることを好適に抑制することが可能となる。
【００５６】
このように両操作部が不正に露出されることを困難な構成とした場合、遊技機を設置する遊技場の管理者等が設定を変更する際の作業すなわち正規に設定を変更する際の作業が煩雑化する可能性が懸念される。そこで、第１蓋部材が第１露出位置にある場合、第１蓋部材により第２蓋部材が第２被覆位置側に移動することを規制される構成とした。かかる構成とすることにより、遊技場の管理者等が第２蓋部材を第２被覆位置に移動しないように保持するのではなく第１蓋部材により第２蓋部材を保持させることが可能となり、正規に設定を変更する際の作業が煩雑化することを抑制することが可能となる。
【００５７】
以上の結果、正規に設定を変更する際の作業が煩雑化することを抑制しつつ、不正に設定が変更されることを好適に抑制することが可能となる。
【００５８】
以下、遊技機の一種である回胴式遊技機、具体的にはスロットマシンに適用した場合の一実施の形態を、図面に基づいて詳細に説明する。図１はスロットマシン１０の正面図、図２はスロットマシン１０の前面扉１２を閉じた状態の斜視図、図３はスロットマシン１０の前面扉１２を開いた状態の斜視図、図４は前面扉１２の背面図、図５は筐体１１の正面図である。
【００５９】
図１〜図５に示すように、スロットマシン１０は、その外殻を形成する筐体１１を備えている。筐体１１は、天板１１ａ，底板１１ｂ，背板１１ｃ，左側板１１ｄ及び右側板１１ｅからなり、全体として前面を開放した箱状に形成されている。
【００６０】
筐体１１の前面側には、前面扉１２が開閉可能に取り付けられている。すなわち、筐体１１には、その正面から見て左側部に上下一対の支軸１３ａ，１３ｂが設けられており、前面扉１２には、各支軸１３ａ，１３ｂと対応する位置に軸受部１４ａ，１４ｂが設けられている。そして、各軸受部１４ａ，１４ｂに各支軸１３ａ，１３ｂが挿入された状態では、前面扉１２が筐体１１に対して両支軸１３ａ，１３ｂを結ぶ上下方向へ延びる開閉軸線を中心として回動可能に支持され、前面扉１２の回動によって筐体１１の前面開放側を開放したり閉鎖したりすることができるようになっている。また、前面扉１２は、その裏面に設けられた施錠装置２０によって開放不能な施錠状態とされる。前面扉１２の右端側上部には、施錠装置２０と一体化されたキーシリンダ２１が設けられており、キーシリンダ２１に対する所定のキー操作によって前記施錠状態が解除されるように構成されている。
【００６１】
前面扉１２の中央部上寄りには、遊技者に遊技状態を報知する遊技パネル２５が設けられている。遊技パネル２５には、縦長の３つの表示窓２６Ｌ，２６Ｍ，２６Ｒが横並びに形成されており、各表示窓２６Ｌ，２６Ｍ，２６Ｒを通じてスロットマシン１０の内部が視認可能な状態となっている。なお、各表示窓２６Ｌ，２６Ｍ，２６Ｒを１つにまとめて共通の表示窓としてもよい。
【００６２】
図３に示すように、筐体１１は仕切り板３０によりその内部が上下２分割されており、仕切り板３０の上部には、可変表示手段を構成するリールユニット３１が取り付けられている。リールユニット３１は、円筒状（円環状）にそれぞれ形成された左リール３２Ｌ，中リール３２Ｍ，右リール３２Ｒを備えている。各リール３２Ｌ，３２Ｍ，３２Ｒは、その中心軸線が当該リールの回転軸線となるように回転可能に支持されている。各リール３２Ｌ，３２Ｍ，３２Ｒの回転軸線は略水平方向に延びる同一軸線上に配設され、それぞれのリール３２Ｌ，３２Ｍ，３２Ｒが各表示窓２６Ｌ，２６Ｍ，２６Ｒと１対１で対応している。したがって、各リール３２Ｌ，３２Ｍ，３２Ｒの表面の一部はそれぞれ対応する表示窓２６Ｌ，２６Ｍ，２６Ｒを通じて視認可能な状態となっている。また、リール３２Ｌ，３２Ｍ，３２Ｒが正回転すると、各表示窓２６Ｌ，２６Ｍ，２６Ｒを通じてリール３２Ｌ，３２Ｍ，３２Ｒの表面は上から下へ向かって移動しているかのように映し出される。
【００６３】
ここで、リールユニット３１の構成を簡単に説明する。
【００６４】
各リール３２Ｌ，３２Ｍ，３２Ｒは、それぞれがステッピングモータに連結されており、各ステッピングモータの駆動により各リール３２Ｌ，３２Ｍ，３２Ｒが個別に、すなわちそれぞれ独立して回転駆動し得る構成となっている。ステッピングモータは、例えば５０４パルスの駆動信号（以下、励磁パルスとも言う。）を与えることにより１回転されるように設定されており、この励磁パルスによってステッピングモータの回転位置、すなわちリールの回転位置が制御される。また、リールユニット３１には、リールが１回転したことを検出するためのリールインデックスセンサが各リール３２Ｌ，３２Ｍ，３２Ｒに設置されている。そして、リールインデックスセンサからは、リールが１回転したことを検出した場合、その検出の都度、後述する主制御装置１０１に検出信号が出力されるようになっている。このため主制御装置１０１は、リールインデックスセンサの検出信号と、当該検出信号が入力されるまでに出力した励磁パルス数とに基づいて、各リール３２Ｌ，３２Ｍ，３２Ｒの角度位置を１回転毎に確認するとともに補正することができる。
【００６５】
各リール３２Ｌ，３２Ｍ，３２Ｒの外周面には、その長辺方向（周回方向）に、識別情報としての図柄が複数個描かれている。より具体的には、２１個の図柄が等間隔に描かれている。このため、所定の位置においてある図柄を次の図柄へ切り替えるには、２４パルス（＝５０４パルス÷２１図柄）の励磁パルスの出力を要する。また、主制御装置１０１は、リールインデックスセンサの検出信号が入力されてから出力した励磁パルス数により、表示窓２６Ｌ，２６Ｍ，２６Ｒから視認可能な状態となっている図柄を把握したり、表示窓２６Ｌ，２６Ｍ，２６Ｒから視認可能な位置に所定の図柄を停止させたりする制御を行うことができる。
【００６６】
各表示窓２６Ｌ，２６Ｍ，２６Ｒは、対応するリールに付された２１個の図柄のうち図柄全体を視認可能となる図柄が３個となるように形成されている。このため、各リール３２Ｌ，３２Ｍ，３２Ｒがすべて停止している状態では、３×３＝９個の図柄が表示窓２６Ｌ，２６Ｍ，２６Ｒを介して視認可能な状態となる。本スロットマシン１０では、これら９個の図柄が視認可能となる各位置を結ぶようにして、横方向へ平行に３本、斜め方向へたすき掛けに２本、計５本の組合せラインが設定されている。そして、有効化された組合せライン、すなわち有効ライン上に図柄が所定の組合せで停止した場合には、入賞成立として、遊技媒体たるメダルが所定数払い出される特典が付与されたり、ビッグボーナス（以下、「ＢＢ」とも言う）状態等に遊技状態が移行される特典が付与されたりするようになっている。
【００６７】
遊技パネル２５の下方左側には、各リール３２Ｌ，３２Ｍ，３２Ｒの回転を開始させるために操作されるスタートレバー４１が設けられている。スタートレバー４１はリール３２Ｌ，３２Ｍ，３２Ｒを回転開始、すなわち図柄の可変表示を開始させるべく操作される開始操作手段又は始動操作手段を構成する。所定数のメダルが投入されている状態でスタートレバー４１を操作された場合、各リール３２Ｌ，３２Ｍ，３２Ｒが回転を開始するようになっている。
【００６８】
スタートレバー４１の右側には、回転している各リール３２Ｌ，３２Ｍ，３２Ｒを個別に停止させるために操作されるボタン状のストップスイッチ４２〜４４が設けられている。各ストップスイッチ４２〜４４は、停止対象となるリール３２Ｌ，３２Ｍ，３２Ｒに対応する表示窓２６Ｌ，２６Ｍ，２６Ｒの直下にそれぞれ配置されている。すなわち、左ストップスイッチ４２が操作された場合には左リール３２Ｌの回転が停止し、中ストップスイッチ４３が操作された場合には中リール３２Ｍの回転が停止し、右ストップスイッチ４４が操作された場合には右リール３２Ｒの回転が停止する。ストップスイッチ４２〜４４はリール３２Ｌ，３２Ｍ，３２Ｒの回転に基づく図柄の可変表示を停止させるべく操作される停止操作手段を構成する。
【００６９】
表示窓２６Ｌ，２６Ｍ，２６Ｒの下方右側には、メダルを投入するためのメダル投入口４５が設けられている。メダル投入口４５は遊技媒体を入力する入力手段を構成する。また、メダル投入口４５が遊技者によりメダルを直接投入するという動作を伴う点に着目すれば、遊技媒体を直接入力する直接入力手段を構成するものとも言える。
【００７０】
メダル投入口４５から投入されたメダルは、前面扉１２の背面に設けられた通路切替手段としてのセレクタ４６によって貯留用通路４７か排出用通路４８のいずれかへ導かれる。より詳しくは、セレクタ４６にはメダル通路切替ソレノイド４６ａが設けられており、そのメダル通路切替ソレノイド４６ａの非励磁時にはメダルが排出用通路４８側に導かれ、前記メダル通路切替ソレノイド４６ａの励磁時にはメダルが貯留用通路４７側に導かれるようになっている。貯留用通路４７に導かれたメダルは、筐体１１の内部に収納されたホッパ装置５１へと導かれる。一方、排出用通路４８に導かれたメダルは、前面扉１２の前面下部に設けられたメダル排出口４９からメダル受け皿５０へと導かれ、遊技者に返還される。
【００７１】
ホッパ装置５１は、メダルを貯留する貯留タンク５２と、メダルを遊技者に払い出す払出装置５３とより構成されている。払出装置５３は、図示しないメダル払出用回転板を回転させることにより、排出用通路４８に設けられた開口４８ａへメダルを排出し、排出用通路４８を介してメダル受け皿５０へメダルを払い出すようになっている。また、ホッパ装置５１の右方には、貯留タンク５２内に所定量以上のメダルが貯留されることを回避するための予備タンク５４が設けられている。ホッパ装置５１の貯留タンク５２内部には、この貯留タンク５２から予備タンク５４へとメダルを排出する誘導プレート５２ａが設けられている。したがって、誘導プレート５２ａが設けられた高さ以上にメダルが貯留された場合、かかるメダルが予備タンク５４に貯留されることとなる。
【００７２】
メダル投入口４５の下方には、ボタン状の返却スイッチ５５が設けられている。メダル投入口４５に投入されたメダルがセレクタ４６内に詰まった状況下で返却スイッチ５５を操作された場合、セレクタ４６が機械的に連動して動作され、当該セレクタ４６内に詰まったメダルがメダル排出口４９から返却されるようになっている。
【００７３】
表示窓２６Ｌ，２６Ｍ，２６Ｒの下方左側には、遊技媒体としてのクレジットされた仮想メダルを一度に３枚投入するための第１クレジット投入スイッチ５６が設けられている。また、第１クレジット投入スイッチ５６の左方には、第２クレジット投入スイッチ５７と、第３クレジット投入スイッチ５８とが設けられている。第２クレジット投入スイッチ５７は仮想メダルを一度に２枚投入するためのものであり、第３クレジット投入スイッチ５８は仮想メダルを１枚投入するためのものである。各クレジット投入スイッチ５６〜５８は前記メダル投入口４５とともに遊技媒体を入力する入力手段を構成する。また、メダル投入口４５が遊技者によりメダルを直接投入するという動作を伴うのに対し、各クレジット投入スイッチ５６〜５８は貯留記憶に基づく仮想メダルの投入という動作を伴うに過ぎない点に着目すれば、遊技媒体を間接入力する間接入力手段を構成するものとも言える。
【００７４】
スタートレバー４１の左方には、精算スイッチ５９が設けられている。すなわち、本スロットマシン１０では、所定の最大値（メダル５０枚分）となるまでの余剰の投入メダルや入賞時の払出メダルを仮想メダルとして貯留記憶するクレジット機能を有しており、仮想メダルが貯留記憶されている状況下で精算スイッチ５９を操作された場合、仮想メダルが現実のメダルとしてメダル排出口４９から払い出されるようになっている。この場合、クレジットされた仮想メダルを現実のメダルとして払い出すという機能に着目すれば、精算スイッチ５９は貯留記憶された遊技媒体を実際に払い出すための精算操作手段を構成するものとも言える。
【００７５】
遊技パネル２５の表示窓２６Ｌ，２６Ｍ，２６Ｒ下方には、クレジットされている仮想メダル数を表示するクレジット表示部６０と、ＢＢ状態が終了するまでに払い出される残りのメダル数を表示する残払出枚数表示部６１と、入賞成立時に払い出したメダルの枚数を表示する払出枚数表示部６２とがそれぞれ設けられている。これら表示部６０〜６２は７セグメント表示器によって構成されているが、液晶表示器等によって代替することは当然可能である。
【００７６】
前面扉１２の上部には、遊技の進行に伴い点灯したり点滅したりする上部ランプ６３と、遊技の進行に伴い種々の効果音を鳴らしたり、遊技者に遊技状態を報知したりする左右一対のスピーカ６４と、遊技者に各種情報を与える補助表示部６５とが設けられている。補助表示部１５の背面には、上部ランプ６３やスピーカ６４、補助表示部６５を駆動させるための表示制御装置８１が設けられている。
【００７７】
筐体１１の内部においてホッパ装置５１の左方には、電源ボックス７０が設けられている。電源ボックス７０は、その内部に電源装置９１を収容するとともに、電源スイッチ７１を備えている。電源スイッチ７１は、主制御装置１０１を始めとする各部に電源を供給するための起動スイッチである。
【００７８】
リールユニット３１の上方には、主制御装置ユニット１００が取り付けられている。主制御装置ユニット１００は、遊技を統括管理する主制御装置１０１と、主制御装置１０１を搭載する台座装置１５１とを備えている。台座装置１５１は、筐体１１の背板１１ｃに取付固定されており、当該台座装置１５１の前面側に主制御装置１０１が搭載されている。つまり、主制御装置１０１は、筐体１１内部において上部奥側に配置されている。
【００７９】
ここで、主制御装置１０１の構成を、図６及び図７に基づいて説明する。図６は第１蓋部材１３２及び第２蓋部材１４２を閉鎖した状態を示す主制御装置１０１の正面図、図７は第１蓋部材１３２及び第２蓋部材１４２を開放した状態を示す主制御装置１０１の正面図である。なお、以下では、主制御装置１０１がスロットマシン１０に取り付けられた状態（図５参照）を基準として、上下左右等の方向を特定することとする。
【００８０】
主制御装置１０１は、制御基板としての主基板が基板ボックス１１０に収容されて構成されている。
【００８１】
主基板は横長矩形状のプリント基板であって、その表面には、ＣＰＵやＲＯＭ等を備えたＩＣチップの他に、被コネクタ受け部としてのソケット１０３等が搭載されている。ソケット１０３には、リールユニット３１等の他の装置と接続されたケーブルコネクタ（図示略）や、スタートレバー４１の操作を検出するスタート検出センサ、ストップスイッチ４２〜４４の操作を個別に検出するストップ検出センサ等の各種センサが接続されるようになっており、主基板１０２は、これらセンサからの入力結果に基づいて各リール３２Ｌ，３２Ｍ，３２Ｒの回転及び停止やメダルの払出等の制御を実行する。
【００８２】
主基板の前面側右部には、図７に示すように、リセットスイッチ１０４と設定キースイッチ１０５が直付け実装されている。リセットスイッチ１０４は、スロットマシン１０をエラー状態から復帰させる場合や、スロットマシン１０の設定値（役の当選確率）を変更する場合に押し操作されるスイッチである。設定キースイッチ１０５は、設定値を変更する場合や設定値を確認する場合に操作されるスイッチである。設定キースイッチ１０５の先端面には設定キー挿入孔（図示略）が設けられており、ホール管理者等が設定キーを挿入してＯＮ側に回動操作（ＯＮ操作）することにより、スロットマシン１０の設定値を変更したりそのときの設定値を確認したりすることができるようになっている。主基板の前面側右下部には、設定キースイッチ１０５がＯＮ操作された場合に設定値を表示する設定表示部１０６が直付け実装されている。このように、主基板の一側部には、設定値の変更に関わるリセットスイッチ１０４，設定キースイッチ１０５及び設定表示部１０６が集約配置されている。さらにいうと、前面扉１２は筐体１１の左側部の開閉軸線を中心として回動可能に支持されており、リセットスイッチ１０４，設定キースイッチ１０５及び設定表示部１０６は、主基板の右部すなわち前面扉１２の開放端側に設けられているため、ホール管理者等が設定値の変更等を容易に行うことができる。
【００８３】
基板ボックス１１０は、主基板を前面側から覆うボックスカバーと、主基板を後面側から覆うボックスケースとが組み合わされて構成されている。ボックスカバー及びボックスケースは、透明な合成樹脂材料によってそれぞれ形成されている。
【００８４】
基板ボックス１１０の前面側すなわちボックスカバーには、その中央部に主基板のＩＣチップ等を収容するための収容部１１１が形成されている。また、基板ボックス１１０の前面側右部には、リセットスイッチ収容部１３１と設定キースイッチ収容部１４１が、上下に隣接して形成されている。リセットスイッチ収容部１３１には、透明な合成樹脂材料によって形成された第１蓋部材１３２がスライド移動可能に支持されており、設定キースイッチ収容部１４１には、透明な合成樹脂材料によって形成された第２蓋部材１４２がスライド移動可能に支持されている。リセットスイッチ収容部１３１の左方には、第１蓋部材１３２の左方への移動を規制するストッパ１５０が取り付けられている。収容部１１１の下方及び左方には、主基板のソケット１０３と対応する位置に、当該ソケット１０３を挿通するための挿通孔１１２が形成されている。本スロットマシン１０では、基板ボックス１１０，第１蓋部材１３２及び第２蓋部材１４２が透明な合成樹脂材料によって形成されているため、主基板に搭載されたリセットスイッチ１０４，設定キースイッチ１０５及び設定表示部１０６等が基板ボックス１１０等を介して視認できるようになっている。
【００８５】
基板ボックス１１０の上部には、前後に貫通する横長矩形の第１開口孔部１１８及び第２開口孔部１１９が、左右に並ぶようにしてボックスカバーとボックスケースのそれぞれに形成されている。第１開口孔部１１８の中央左部及び第２開口孔部１１９の中央右部には、基板ボックス１１０を封印するための第１封印部材１２０が、ボックスカバーとボックスケースのそれぞれに設けられている。封印について簡単に説明すると、ボックスカバー及びボックスケースの第１封印部材１２０に封印ピンが挿入された場合、ボックスベースとボックスカバーとが開放不能に結合されるようになっている。そして、主基板を基板ボックス１１０から取り出す場合には、封印ピンの挿入された第１封印部材１２０をボックスカバー及びボックスケースから切断することにより、ボックスベースとボックスカバーの結合状態を解除する。つまり、主基板を基板ボックス１１０から取り出した場合には、第１封印部材１２０の切断された痕跡がボックスベース及びボックスカバーに残ることとなる。故に、基板ボックス１１０の開放を行った旨の履歴をホール側で残しておけば、基板ボックス１１０を確認することで不正な開放が行われた旨を容易に発見することができる。ボックスケースの第１開口孔部１１８及び第２開口孔部１１９には、主制御装置１０１を台座装置１５１に封印するための第２封印部材１２１が、それぞれ２つずつ設けられている。
【００８６】
ここで、リセットスイッチ収容部１３１，設定キースイッチ収容部１４１及び両蓋部材１３２，１４２の構成を、図８〜図１１に基づいてより詳細に説明する。図８は、第１蓋部材１３２及び第２蓋部材１４２が共に閉鎖された状態を示す要部拡大図、図９は、第１蓋部材１３２を開放位置まで移動させた状態を示す要部拡大図、図１０は、第１蓋部材１３２を規制解除位置まで移動させた状態を示す要部拡大図、図１１は、第１蓋部材１３２及び第２蓋部材１４２が共に開放された状態を示す要部拡大図である。
【００８７】
リセットスイッチ収容部１３１は、主基板と平行に延びる底板部１３３を有し、該底板部１３３のリセットスイッチ１０４と対応する位置には、リセットスイッチ１０４より若干大きな外径を有する開口孔１３３ａが形成されている。また、リセットスイッチ収容部１３１は、底板部１３３の周縁部から前方に直立形成された矩形枠状の壁部１３５を有している。壁部１３５のうち上側壁部１３５ａ及び下側壁部１３５ｂには、第１蓋部材１３２をスライド移動可能に支持するための案内溝部１３７ａ，１３７ｂが形成されている。案内溝部１３７ａ，１３７ｂは、リセットスイッチ１０４と対向する側及び左方に開放された形状となっている。また、下側壁部１３５ｂには、設定キースイッチ１０５の上方に、先端面が案内溝部１３７ｂの後端面と同一平面となるよう切欠部１３７ｃが形成されている。
【００８８】
リセットスイッチ収容部１３１の前面側には、第１蓋部材１３２がスライド移動可能に取り付けられている。第１蓋部材１３２は、透明な合成樹脂材料によって全体として横長矩形に形成されており、その中央部には、前後に貫通するとともに下方に開口する開口部１３２ａが形成されている。開口部１３２ａは、第２蓋部材１４２の左右寸法より若干大きな左右寸法を有する一方、その上下寸法は第２蓋部材１４２の上下寸法より小さなものとなっている。また、開口部１３２ａの左上部には、後述する第２蓋部材１４２の突出部１４２ａを収容可能な収容部１３２ｂが形成されている。そして、第１蓋部材１３２の上部が上側壁部１３５ａの案内溝部１３７ａに挿入されるとともに第１蓋部材１３２の下部が下側壁部１３７ｂの案内溝部１３７ｂに挿入された状態では、第１蓋部材１３２がリセットスイッチ収容部１３１に対して左右方向にスライド移動可能に支持され、第１蓋部材１３２のスライド移動によってリセットスイッチ収容部１３１の前面開放側を開放したり閉鎖したりすることができるようになっている。かかる構成においては、第１蓋部材１３２が図８に示す閉鎖位置にある場合に、第１蓋部材１３２によってリセットスイッチ１０４の前面側が覆われ、第１蓋部材１３２が図９に示す開放位置にある場合に、リセットスイッチ１０４が露出することとなる。また、図示は省略するが、第１蓋部材１３２の後面とリセットスイッチ収容部１３１の左側壁部１３５ｃとには、第１蓋部材１３２を閉鎖位置側に付勢するコイルバネが設けられている。
【００８９】
設定キースイッチ収容部１４１は、主基板と平行に延びる底板部１４３を有し、該底板部１４３の設定キースイッチ１０５と対応する位置には、設定キースイッチ１０５より若干大きな外径を有する開口孔１４３ａが形成されている。また、設定キースイッチ収容部１４１は、底板部１４３の周縁部から前方に直立形成された矩形枠状の壁部１４５を有している。本実施の形態では、リセットスイッチ収容部１３１の下側壁部１３５ｂを設定キースイッチ収容部１４１の上側壁部として共通使用することにより、リセットスイッチ１０４，設定キースイッチ１０５，リセットスイッチ収容部１３１及び設定キースイッチ収容部１４１を集約配置している。壁部１４５のうち左側壁部１４５ａ及び右側壁部１４５ｂには、第２蓋部材１４２をスライド移動可能に支持するための案内溝部１４６ａ，１４６ｂが形成されている。案内溝部１４６ａ，１４６ｂは、設定キースイッチ１０５と対向する側及び上方に開放された形状となっている。また、下側壁部１４５ｃには、両案内溝部１４６ａ，１４６ｂと連続するようにして係止溝部１４７が形成されている。
【００９０】
設定キースイッチ収容部１４１の前面側には、第２蓋部材１４２がスライド移動可能に取り付けられている。第２蓋部材１４２は、透明な合成樹脂材料によって全体として縦長矩形に形成されており、その左上部には、左方に向かって突出する突出部１４２ａが形成されている。そして、第２蓋部材１４２の左部が左側壁部１４５ａの案内溝部１４６ａに挿入されるとともに第２蓋部材１４２の右部が右側壁部１４５ｂの案内溝部１４６ｂに挿入された状態では、第２蓋部材１４２が設定キースイッチ収容部１４１に対して上下方向にスライド移動可能に支持され、第２蓋部材１４２のスライド移動によって設定キースイッチ収容部１４１の前面開放側を開放したり閉鎖したりすることができるようになっている。かかる構成においては、第２蓋部材１４２が図１０に示す閉鎖位置にある場合に、第２蓋部材１４２によって設定キースイッチ１０５の前面側が覆われ、第２蓋部材１４２が図１１に示す開放位置にある場合に、設定キースイッチ１０５が露出することとなる。
【００９１】
ここで、第１蓋部材１３２と第２蓋部材１４２の取り付け作業について説明する。
【００９２】
第１蓋部材１３２と第２蓋部材１４２を対応する収容部１３１，１４１に取り付ける場合には、先ず第２蓋部材１４２を設定キースイッチ収容部１４１の上方から案内溝部１４６ａ，１４６ｂに挿入し、当該第２蓋部材１４２を下方にスライド移動させる。これにより、第２蓋部材１４２が設定キースイッチ収容部１４１に対して上下方向にスライド移動可能に支持される。
【００９３】
第１蓋部材１３２をリセットスイッチ収容部１３１に取り付ける場合には、第２蓋部材１４２を閉鎖位置に移動させた後、第１蓋部材１３２をリセットスイッチ収容部１３１の左方から案内溝部１３７ａ，１３７ｂに挿入し、当該第１蓋部材１３２を右方にスライド移動させる。これにより、第１蓋部材１３２がリセットスイッチ収容部１３１に対して左右方向にスライド移動可能に支持される。その後、基板ボックス１１０の収容部１１１にストッパ１５０を取り付け固定する。なお、第２蓋部材１４２よりも先に第１蓋部材１３２をリセットスイッチ収容部１３１に取り付けた場合には、当該第１蓋部材１３２と第２蓋部材１４２が干渉し、第２蓋部材１４２を設定キースイッチ収容部１４１に取り付けることができない。
【００９４】
次に、第１蓋部材１３２及び第２蓋部材１４２の作用を説明する。
【００９５】
第１蓋部材１３２を閉鎖側（すなわち右向き）にスライド移動させた場合、第１蓋部材１３２の右側面がリセットスイッチ収容部１３１の右側壁部１３５ｄと当接し、閉鎖側へのそれ以上のスライド移動が規制される。第１蓋部材１３２が閉鎖側への移動を規制される閉鎖位置（図８参照）にある場合には、第１蓋部材１３２によってリセットスイッチ１０４の前面側が覆われるようになっている。また、第１蓋部材１３２と第２蓋部材１４２が共に閉鎖位置にある場合には、図８に示すように、第１蓋部材１３２の開口部１３２ａが第２蓋部材１４２と上下方向においてずれた位置に位置するようになっている。
【００９６】
第１蓋部材１３２と第２蓋部材１４２が共に閉鎖位置にある状態から第１蓋部材１３２を開放側（すなわち左向き）にスライド移動させた場合、図９に示すように、第１蓋部材１３２の左側面がストッパ１５０と当接し、開放側へのそれ以上の移動が規制される。第１蓋部材１３２が開放側への移動を規制される開放位置にある場合には、リセットスイッチ１０４が露出し、当該リセットスイッチ１０４を操作することができる。また、第１蓋部材１３２が開放位置にあって第２蓋部材１４２が閉鎖位置にある場合には、第１蓋部材１３２の開口部１３２ａが第２蓋部材１４２と上下方向においてずれた位置に位置するようになっている。
【００９７】
第２蓋部材１４２を閉鎖側（すなわち下向き）にスライド移動させた場合、第２蓋部材１４２の下部が係止溝部１４７に挿入されるとともに第２蓋部材１４２の下面が係止溝部１４７と当接し、閉鎖側へのそれ以上の移動が規制される。第２蓋部材１４２が閉鎖側への移動を規制される閉鎖位置（図８参照）にある場合には、第２蓋部材１４２によって設定キースイッチ１０５の前面側が覆われるようになっている。
【００９８】
図８に示すように第１蓋部材１３２が閉鎖位置にある場合には、第２蓋部材１４２と第１蓋部材１３２の開口部１３２ａが上下方向においてずれた位置関係となるため、第２蓋部材１４２の開放側への移動が第１蓋部材１３２の下面によって規制される。また、図９に示すように第１蓋部材１３２が開放位置にある場合についても、第２蓋部材１４２と第１蓋部材１３２の開口部１３２ａが上下方向においてずれた位置関係となるため、第２蓋部材１４２の開放側への移動が第１蓋部材１３２の下面によって規制される。一方、第１蓋部材１３２を、当該第１蓋部材１３２の開口部１３２ａと第２蓋部材１４２が上下方向に並ぶ規制解除位置まで移動させた場合（図１０参照）には、第２蓋部材１４２の規制が解除され、第２蓋部材１４２を開放側（すなわち上向き）にスライド移動させることができる。なお、第１蓋部材１３２が規制解除位置以外の位置に位置する場合には、いずれの場合であっても第２蓋部材１４２の開放側への移動が規制される。このように、第２蓋部材１４２は、第１蓋部材１３２が規制解除位置にある場合に限り、開放側へ移動させることが可能となる。
【００９９】
第１蓋部材１３２が規制解除位置にある状況下で第２蓋部材１４２を開放側にスライド移動させた場合、第２蓋部材１４２の上面が第１蓋部材１３２の開口部１３２ａ上面と当接し、開放側へのそれ以上の移動が規制される。第２蓋部材１４２がそれ以上の開放側への移動を規制される開放位置（図１１参照）にある場合には、設定キースイッチ１０５が露出し、当該設定キースイッチ１０５を操作することができる。このとき、第１蓋部材１３２は第２蓋部材１４２によって開放位置側及び閉鎖位置側への移動が規制されることとなるが、第１蓋部材１３２が規制解除位置にある場合には、リセットスイッチ１０４が露出しているため、当該リセットスイッチ１０４を操作することができる。また、図１１に示すように、第１蓋部材１３２が規制解除位置にあって第２蓋部材１４２が開放位置にある状況において、ホール管理者等が第１蓋部材１３２に設けられたコイルバネの付勢力に抗する外力を第１蓋部材１３２に加えていない場合、第１蓋部材１３２の開口部１３２ａ左側面と第２蓋部材１４２の左側面が当接し、第２蓋部材１４２によって第１蓋部材１３２の閉鎖位置側への移動が規制される。加えて、かかる状況においては、第２蓋部材１４２は重力による下向きの外力を受けているが、第２蓋部材１４２の突出部１４２ａが第１蓋部材１３２の収容部１３２ｂと当接し、第１蓋部材１３２によって第２蓋部材１４２の落下すなわち閉鎖位置側への移動が規制される。
【０１００】
次に、ホール管理者等が設定値を変更する際の具体的な作業について説明する。
【０１０１】
設定値を変更する場合には、先ず前面扉１２を筐体１１から開放し、電源が投入されている場合には電源スイッチ７１をＯＦＦ操作して電源を遮断する。その後、第１蓋部材１３２を閉鎖位置から規制解除位置に移動させた上で第２蓋部材１４２を閉鎖位置から開放位置に移動させ、設定キースイッチ１０５を露出させる。そして、設定キーを設定キースイッチ１０５へ挿入してＯＮ操作する。かかる状態で電源スイッチ７１をＯＮ操作して電源を投入することにより、スロットマシン１０の設定値を変更できるようになるとともに、設定表示部１０６にそのときの設定値（本実施の形態では「１」）が表示される。
【０１０２】
第１蓋部材１３２を規制解除位置に移動させた場合にはリセットスイッチ１０４が露出しているため、電源スイッチ７１をＯＮ操作して電源を投入した後、リセットスイッチ１０４を押し操作することにより、ホール管理者等の望む設定値に変更する。このとき、設定表示部１０６には、リセットスイッチ１０４の操作に伴って変更された設定値が表示される。ホール管理者等の望む設定値が設定表示部１０６に表示された場合には、スタートレバー４１を操作して設定値を確定させる。その後、設定キースイッチ１０５をＯＦＦ操作した上で設定キースイッチ１０５から設定キーを抜き取り、第２蓋部材１４２と第１蓋部材１３２を閉鎖位置に移動させ、前面扉１２を閉鎖する。このとき、第１蓋部材１３２には閉鎖位置側に付勢するコイルバネが設けられているため、ホール管理者等が第２蓋部材１４２を閉鎖位置に移動させた場合には、第１蓋部材１３２が付勢力によって閉鎖位置に移動し、リセットスイッチ１０４及び設定キースイッチ１０５の前面側が被覆される。なお、本スロットマシン１０には主基板１０２に搭載された設定表示部１０６を除いて設定値の表示される部位がないため、設定値の確認は上記設定表示部１０６を通じて行う必要がある。
【０１０３】
ちなみに、電源が投入されている状況下でホール管理者等が設定キーを設定キースイッチ１０５へ挿入してＯＮ操作した場合には、そのときの設定値が設定表示部１０６に表示され、設定値を確認することができる。このとき、リセットスイッチ１０４を押し操作したとしても設定値を変更することはできない。
【０１０４】
ここで、上記設定変更作業が行われた場合に主制御装置１０１が実行する当選確率設定処理について、図１２のフローチャートを用いて説明する。主制御装置１０１は、停電からの復旧や電源スイッチ７１のＯＮ操作によって電源が投入された場合、設定キーが設定キースイッチ１０５に挿入されてＯＮ操作されているか否かを判定する。ＯＮ操作がなされている場合には、強制的ＲＡＭクリア処理としてＲＡＭに記憶されたデータ（設定値に関するデータも含む）を全てクリアし、その後に当選確率設定処理を行う。本スロットマシン１０には、「設定１」から「設定６」まで６段階の当選確率が予め用意されており、当選確率設定処理では、いずれの当選確率に基づいて内部処理を実行させるのかを設定する。
【０１０５】
先ず、ステップＳ１０１では、次回のタイマ割込みを許可する。その後、ステップＳ１０２にて現在の設定値を読み込むとともに、ステップＳ１０３では現在の設定値を設定表示部１０６に表示する。但し、設定キーが挿入されてＯＮ操作された直後の処理では、先の強制的ＲＡＭクリア処理によりＲＡＭのデータがクリアされているため、設定表示部１０６に表示される設定値は初期値の「１」である。
【０１０６】
ステップＳ１０４ではスタートレバー４１が操作されたか否かを判定し、操作されていない場合にはステップＳ１０５〜ステップＳ１０６に示す設定更新処理を行う。ステップＳ１０５では、リセットスイッチ１０４が操作されたか否かを判定する。リセットスイッチ１０４が操作されていない場合にはそのままステップＳ１０３に戻り、操作された場合にはステップＳ１０６にて設定値を１更新した後にステップＳ１０３に戻る。つまり、設定更新処理では、リセットスイッチ１０４が操作される毎に設定値が１更新され、更新された設定値が設定表示部１０６に表示される。なお、設定値が「６」のときにリセットスイッチ１０４が操作された場合、設定値は「１」に更新される。
【０１０７】
ステップＳ１０４にてスタートレバー４１が操作された場合には、ステップＳ１０７にて設定キーのＯＮ操作が継続してなされているか否かを判定する。設定キーのＯＮ操作が継続してなされている場合にはそのまま待機し、ＯＮ操作が終了された場合（ＯＦＦ操作された場合）にはステップＳ１０８にて次回のタイマ割込みを禁止する。その後、ステップＳ１０９にて設定値を保存し、ステップＳ１１０にてＲＡＭに記憶された設定値以外のデータをクリアして本処理を終了する。
【０１０８】
以上詳述した本実施の形態によれば、以下の優れた効果を奏する。
【０１０９】
リセットスイッチ収容部１３１の前面側に第１蓋部材１３２を設けてリセットスイッチ１０４の前面側が被覆される構成とするとともに、設定キースイッチ収容部１４１の前面側に第２蓋部材１４２を設けて設定キースイッチ１０５の前面側が被覆される構成とした。かかる構成とすることにより、仮に設定値を不正に変更すべく筐体１１と前面扉１２の隙間から針金等が挿入されたとしても、両蓋部材１３２，１４２によって前記針金等をリセットスイッチ１０４や設定キースイッチ１０５に到達させることを困難なものとすることができる。
【０１１０】
確かに、リセットスイッチ１０４と設定キースイッチ１０５の前面側を１の蓋部材で覆う構成とした場合であっても、針金等をリセットスイッチ１０４や設定キースイッチ１０５に到達させることを困難なものとすることができる。しかしながら、かかる構成においては、針金等によって当該蓋部材が開放位置側に引っ張られた場合、リセットスイッチ１０４と設定キースイッチ１０５が共に露出して操作可能な状態となってしまう。一方、それぞれを別の蓋部材で被覆する本実施形態においては、各蓋部材を開放位置側に引っ張る必要が生じるため、１の蓋部材で被覆する構成と比してリセットスイッチ１０４と設定キースイッチ１０５を共に露出させることを困難なものとすることができる。
【０１１１】
かかる一方、このように両蓋部材１３２，１４２によってリセットスイッチ１０４及び設定キースイッチ１０５の前面側を覆う構成とした場合、ホール管理者等が設定変更を行う際の作業が煩雑化する可能性が懸念されるが、主基板の一側部にリセットスイッチ１０４と設定キースイッチ１０５を集約配置するとともに、第１蓋部材１３２と第２蓋部材１４２を隣接して配置したため、前記作業の煩雑化を抑制することが可能となる。
【０１１２】
第１蓋部材１３２が閉鎖位置から開放位置に移動する向きと、第２蓋部材１４２が閉鎖位置から開放位置に移動する向きとが異なるように第１蓋部材１３２と第２蓋部材１４２を取り付けた。かかる構成とすることにより、筐体１１と前面扉１２の隙間から針金等が挿入され、一方の蓋部材が開放位置側に移動するよう前記針金等により引っ張られたとしても、他方の蓋部材が開放位置に移動することを防止することができる。故に、仮に前面扉１２を開放することなく又は少し開放させて筐体１１と前面扉１２の隙間から針金等が挿入されたとしても、リセットスイッチ１０４と設定キースイッチ１０５を共に露出させることを困難なものとすることができ、設定が不正に変更されることを好適に抑制することが可能となる。また、針金等を用いて両蓋部材１３２，１４２を開放位置に移動させるためには、筐体１１と前面扉１２の隙間から針金等を複数挿入させ、これら針金等を異なる向きに引っ張る必要がある。故に、不正行為を目立たせることが可能となり、不正行為を容易に発見することが可能となる。
【０１１３】
第２蓋部材１４２の上方すなわち開放側に第１蓋部材１３２を配置し、第１蓋部材１３２が閉鎖位置にある場合には第２蓋部材１４２の開放側への移動が規制される構成とした。かかる構成においては、第１蓋部材１３２を規制解除位置に移動させない限り、第２蓋部材１４２を開放位置に移動させることができない。また、両蓋部材１３２，１４２を開放位置に移動させるためには、第１蓋部材１３２→第２蓋部材１４２と言う特定の順序で各蓋部材１３２，１４２を移動させる必要があるとも言える。このように、各蓋部材１３２，１４２を特定の順序で移動させることを条件としてリセットスイッチ１０４及び設定キースイッチ１０５が露出する構成とすることにより、筐体１１から前面扉１２を開放することなく又は僅かに開放させ、筐体１１と前面扉１２の隙間から針金等を用いて両蓋部材１３２，１４２を開放位置まで移動させる不正を困難なものとすることができる。
【０１１４】
第１蓋部材１３２には、第１蓋部材１３２が閉鎖位置と開放位置の間の規制解除位置に位置する場合に限って第２蓋部材１４２が開放側に移動可能となるように、開口部１３２ａを形成した。かかる構成とすることにより、設定値が不正に変更されることを好適に抑制することが可能となる。筐体１１と前面扉１２との隙間から針金等が挿入され、第１蓋部材１３２が開放側に移動するよう前記針金等により引っ張られた場合、第１蓋部材１３２は規制解除位置を通過し開放位置でそれ以上の開放側への移動が規制されることとなるが、第１蓋部材１３２が開放位置にある場合、第２蓋部材１４２は開放側への移動が規制されたままであり、第２蓋部材１４２を開放側に移動させることができない。したがって、筐体１１から前面扉１２を開放することなく設定値を変更する不正行為者は、第１蓋部材１３２の変位状況を視認できない状況下で第１蓋部材１３２を規制解除位置まで移動させ、さらに第２蓋部材１４２を開放側に移動させるために第１蓋部材１３２を当該規制解除位置で位置決め保持しなければならない。故に、リセットスイッチ１０４及び設定キースイッチ１０５を露出させることを困難なものとすることができ、設定値が不正に変更されることを好適に抑制することが可能となる。
【０１１５】
リセットスイッチ１０４の前面側を覆う第１蓋部材１３２が第２蓋部材１４２の開放側への移動を規制し、第２蓋部材１４２は第１蓋部材１３２が閉鎖位置にある場合に当該第１蓋部材１３２の開放側への移動を規制しない構成としたため、ホール管理者等の作業が煩雑化することを抑制することが可能となる。リセットスイッチ１０４は、設定値を変更する場合の他に、スロットマシン１０をエラー状態から復帰させる場合にも操作されるスイッチである。つまり、リセットスイッチ１０４は、ホールの営業時間内に操作される可能性があるとともに、設定キースイッチ１０５と比して操作される頻度が高い。そこで、リセットスイッチ１０４の前面側を覆う第１蓋部材１３２が第２蓋部材１４２の開放側への移動を規制し、第２蓋部材１４２は第１蓋部材１３２が閉鎖位置にある場合に当該第１蓋部材１３２の開放側への移動を規制しない構成とすることにより、第２蓋部材１４２を開放側に移動させることなく第１蓋部材１３２を開放側に移動させることが可能となり、ホール管理者等がスロットマシン１０をエラー状態から復帰させる際の作業が煩雑化することを抑制することが可能となる。さらにいうと、設定値を変更する場合には、設定キースイッチ１０５をＯＮ操作した後にリセットスイッチ１０４を操作する必要がある。このため、先に操作される設定キースイッチ１０５を覆う第２蓋部材１４２の移動が後に操作されるリセットスイッチ１０４を覆う第１蓋部材１３２によって規制される構成とすることにより、設定値を不正に変更する不正行為者の意欲を減退させることが可能となり、設定値を不正に変更する不正行為自体の抑止効果を期待できる。
【０１１６】
第２蓋部材１４２が開放位置にある場合、第２蓋部材１４２によって第１蓋部材１３２の開放側及び閉鎖側への移動が規制される構成とした。かかる構成とすることにより、ホール管理者等が第１蓋部材１３２を閉鎖位置に移動しないように保持するのではなく第２蓋部材１４２により第１蓋部材を保持させることが可能となり、正規に設定を変更する際の作業が煩雑化することを抑制することが可能となる。
【０１１７】
第１蓋部材１３２に閉鎖側に付勢するコイルバネを設け、第２蓋部材１４２が開放位置にある場合、第１蓋部材１３２により第２蓋部材１４２の閉鎖側への移動が規制される構成とした。かかる構成とすることにより、第２蓋部材１４２が開放位置にある場合、一方の蓋部材により他方の蓋部材が閉鎖側に移動することを規制することができる。故に、ホール管理者等が両蓋部材１３２，１４２を閉鎖側に移動しないように保持することなくリセットスイッチ１０４や設定キースイッチ１０５を操作することが可能となり、正規に設定を変更する際の作業が煩雑化することを抑制することが可能となる。また、第２蓋部材１４２を閉鎖位置に移動させた場合には、第１蓋部材１３２がコイルバネの付勢力によって閉鎖位置に自動復帰するため、ホール管理者等が設定を変更した後に第１蓋部材１３２を閉鎖位置に移動させ忘れることを防止できる。
【０１１８】
第１蓋部材１３２が規制解除位置に位置する場合、リセットスイッチ１０４が露出する構成とした。かかる構成とすることにより、第１蓋部材１３２を規制解除位置まで移動させて第２蓋部材１４２を開放位置に移動させ、設定キースイッチ１０５を操作した後にさらに第２蓋部材１４２による第１蓋部材１３２の移動規制を解除して第１蓋部材１３２をリセットスイッチ１０４が露出する位置まで移動させるといった作業が不要となる。故に、ホール管理者等が設定を変更する際の作業を容易なものとすることが可能となる。
【０１１９】
リセットスイッチ１０４及び設定キースイッチ１０５を主基板に直接搭載したため、主基板とリセットスイッチ１０４を電気的に接続するケーブル等や主基板と設定キースイッチ１０５を電気的に接続するケーブル等が不要となる。この結果、リセットスイッチ１０４や設定キースイッチ１０５を操作するのではなく前記ケーブル等をショートさせて設定を変更する不正を防止することが可能となる。
【０１２０】
設定値を表示する設定表示部１０６を主基板にのみ設けたため、前面扉１２を開放しなければ設定値を確認することができない構成とすることができ、前面扉１２を筐体１１から開放することなく設定を変更する不正を困難なものとすることが可能となる。ホール管理者等は、前面扉１２を筐体１１から開放した上で設定変更操作を行うため、設定表示部１０６に表示される設定値を確認しながらホール管理者等の望む設定値に変更することができる一方、針金等を用いて設定を変更する不正行為者は、設定値を確認することができないため、不正行為者の望む設定値に変更することができないからである。また、設定表示部１０６を主基板に直接搭載する構成としたため、設定表示部と主基板とを電気的に接続するケーブル等が不要となる。この結果、設定表示部と主基板との間に不正基板等を電気的に接続し、実際の設定値と異なる設定値を設定表示部に表示させることでホール管理者等にスロットマシン１０の出率を誤認識させる不正を防止することが可能となる。さらにいうと、上記各不正すなわち遊技者側の不正のみならず、例えばホール管理者等が遊技者に対して行う不正すなわちホール側の不正をも抑制することが可能となる。例えば、前面扉１２の後面側に設定表示部を設ける構成としても、針金等を用いて設定が変更される不正を困難なものとすることが可能である。しかしながら、例えばホール管理者等が設定表示部と主基板との間に不正基板等を設け、スロットマシン１０の実際の設定値と異なる設定値を設定表示部に表示可能な構成とした場合、遊技者等は、設定表示部に表示される設定値を通じてスロットマシン１０の設定値を誤認識し、遊技者等の想定する出率より低い出率での遊技を強いられる可能性がある。一方、主基板に設定表示部１０６を直接搭載した構成においては、基板ボックス１１０が封印されているためにホール管理者等であっても上記不正を行うことができず、遊技者等が不利益を被る不具合を回避することができる。
【０１２１】
設定表示部１０６を、リセットスイッチ１０４及び設定キースイッチ１０５の近傍に配置したため、ホール管理者等は視線をそれほど移動させることなく設定変更操作を行うことができる。故に、設定変更操作を容易なものとすることが可能となる。また、設定表示部１０６，リセットスイッチ１０４及び設定キースイッチ１０５を主基板の一側部に集約配置したため、設定変更に関わる上記各部材を主基板に直接搭載したとしても、ＣＰＵ等の電子部品の配置に関する設計自由度が低下することを抑制することが可能となる。さらにいうと、前面扉１２は筐体１１の左側部の開閉軸線を中心として回動可能に支持されており、リセットスイッチ１０４，設定キースイッチ１０５及び設定表示部１０６は、主基板の右部すなわち前面扉１２の開放端側に設けられているため、ホール管理者等が設定値の変更等を容易に行うことができる。
【０１２２】
主制御装置１０１を筐体１１内部において上部奥側に配置したため、筐体１１の前端部すなわち筐体１１と前面扉１２の隙間からリセットスイッチ１０４及び設定キースイッチ１０５までの距離を長くすることが可能となり、針金等を用いてリセットスイッチ１０４及び設定キースイッチ１０５を操作することを困難なものとすることが可能となる。
【０１２３】
なお、上述した実施の形態の記載内容に限定されず、例えば次のように実施してもよい。
【０１２４】
（１）上記実施の形態では、リセットスイッチ１０４と設定キースイッチ１０５を主制御装置１０１に直接搭載する構成としたが、電源ボックス７０に設ける構成としても良いし、前面扉１２の後面側に設ける構成としても良い。これら構成とした場合であっても、リセットスイッチ１０４と設定キースイッチ１０５を上述した第１蓋部材と第２蓋部材によって覆う構成とすれば、上記各実施の形態と同様の作用効果を奏することができる。
【０１２５】
（２）上記実施の形態では、リセットスイッチ１０４と設定キースイッチ１０５を上下に並ぶように配置したが、左右に並ぶように配置しても良いことは言うまでもない。左右に並ぶように配置した場合には、第１蓋部材を上下にスライド移動可能に支持される構成とするとともに、第２蓋部材を左右にスライド移動可能に支持される構成とすれば、上記実施の形態と同様の作用効果を奏することが可能となる。
【０１２６】
（３）上記実施の形態では、リセットスイッチ１０４の前面側を覆う第１蓋部材１３２が設定キースイッチ１０５の前面側を覆う第２蓋部材１４２の開放側への移動を規制する構成としたが、設定キースイッチの前面側を覆う蓋部材がリセットスイッチの前面側を覆う蓋部材の開放側への移動を規制する構成としても良い。例えば上記各実施の形態において、リセットスイッチ１０４と設定キースイッチ１０５の配置を入れ替える。但し、かかる構成とした場合には、スロットマシン１０をエラー状態から復帰させる場合に、設定キースイッチの前面側を覆う蓋部材を規制解除位置に移動させた上でリセットスイッチの前面側を覆う蓋部材を開放側に移動させなければならないため、エラー状態から復帰させる際の作業が煩雑化する可能性が懸念される。
【０１２７】
（４）上記実施の形態では、第１蓋部材１３２をその上部及び下部が案内溝部１３７ａ，１３７ｂに挿入されることでスライド移動可能に支持される構成としたが、かかる構成に限定されるものではなく、第１蓋部材１３２のスライド移動可能に支持される部位は任意である。例えば、第１蓋部材１３２の後面に左右方向に延びる上下一対の突出部を形成し、当該突出部が案内溝部に挿入されることでスライド移動可能に支持される構成としても良い。第２蓋部材１４２についても同様である。
【０１２８】
（５）上記実施の形態では、第１蓋部材１３２を開放側に移動させた場合、ストッパ１５０によりそれ以上の開放側への移動が規制される構成としたが、かかる構成を変更する。すなわち、上記実施の形態におけるストッパ１５０を設けず、第１蓋部材１３２の左方への移動が規制されない構成とする。かかる構成とした場合には、筐体１１と前面扉１２との隙間から針金等が挿入され、第１蓋部材１３２が開放側に移動するよう前記針金等により引っ張られた場合、過度に引っ張ると第１蓋部材１３２がリセットスイッチ収容部１３１から落下することとなる。故に、設定が不正に変更された場合に第１蓋部材１３２の落下という痕跡を残させることが可能となり、不正行為を容易に発見することが可能となる。なお、かかる構成においては、第１蓋部材１３２に第２蓋部材１４２を挿入させることが可能な開口部１３２ａを設けずとも良い。ホール管理者等は、リセットスイッチ収容部１３１から第１蓋部材１３２を取り外した上で設定を変更し、その後にリセットスイッチ収容部１３１に第１蓋部材１３２を再度取り付ければ良いからである。
【０１２９】
（６）上記実施の形態では、第１蓋部材１３２に前後に貫通する開口部１３２ａを形成したが、第２蓋部材１４２を挿入させることが可能な構成であれば良く、前後に貫通していなくても良い。前後に貫通していない開口部を設けた場合には、当該位置から針金等をリセットスイッチ収容部内に挿入させる不正を抑制することが可能となる。但し、かかる構成とした場合には、第１蓋部材が規制解除位置に位置し、第２蓋部材を開放側に移動させた場合に、第１蓋部材と第２蓋部材が干渉しないように開口部を形成する必要がある。
【０１３０】
（７）上記実施の形態では、第２蓋部材１４２が開放位置に位置する場合、第１蓋部材１３２によって第２蓋部材１４２の閉鎖側への移動が規制される構成としたが、規制されない構成としても良い。但し、かかる構成とした場合には、第２蓋部材が閉鎖側に移動しないようホール管理者等が保持する必要が生じるため、設定を変更する際の作業が煩雑化する可能性が懸念される。
【０１３１】
（８）上記実施の形態では、第１蓋部材１３２にのみ閉鎖側に付勢するコイルバネを設けたが、これに代えて又は加えて、第２蓋部材１４２に閉鎖側に付勢するコイルバネを設けても良いことは言うまでもない。
【０１３２】
（９）上記実施の形態では、リセットスイッチ１０４と設定キースイッチ１０５を主制御装置１０１に直接搭載し、筐体１１から前面扉１２を開放した際に前方から両スイッチ１０４，１０５が視認可能となる構成としたが、かかる構成を変更する。すなわち、電源ボックスの後面側にリセットスイッチ及び設定キースイッチを設け、これらスイッチを上述した第１蓋部材と第２蓋部材によって覆う構成とする。かかる構成においては、筐体と前面扉の隙間から針金等が挿入された場合に、両蓋部材に加えて電源ボックスによっても両スイッチへの針金等の到達を阻止することができる。故に、設定が不正に変更されることを好適に抑制することが可能となる。
【０１３３】
（１０）上記実施の形態では、設定値を表示する機能を設定表示部１０６のみが有する構成としたが、設定表示部１０６に加えて、例えばクレジット表示部６０に設定値を表示する機能を付与する構成としても良い。かかる構成とした場合であっても、主基板１０２に直接搭載された設定表示部１０６に表示される設定値を確認することで正規の設定値を把握することができるため、ホール管理者等が遊技者等に対して行う不正を抑制することが可能となる。但し、設定値を不正に変更する不正行為者がクレジット表示部６０に表示される設定値を確認しながら不正行為者の望む設定値に変更する可能性が懸念される。このため、主基板に加えて他の部材にも設定表示部を設ける構成とする場合には、筐体内部又は前面扉の後面に設定表示部を設けることが望ましい。
【０１３４】
（１１）上記実施の形態では、設定表示部１０６を主基板１０２の前面右側部に設ける構成としたが、前面左側部に設ける構成としても良いし、前面中央部に設ける構成としても良く、配置する位置は任意である。
【０１３５】
（１２）上記実施の形態では、設定キースイッチ１０５をＯＮ操作している状態で電源を投入した場合、強制的ＲＡＭクリア処理を行って設定値を「１」とする構成としたが、強制的ＲＡＭクリア処理を行わない構成としても良いし、強制的ＲＡＭクリア処理にて設定値以外のデータをクリアする構成としても良い。
【０１３６】
（１３）上記実施の形態では、リセットスイッチ１０４が操作される毎に設定値が１ずつ更新される構成としたが、かかる構成に限定されるものではなく、設定値がランダムに更新される構成としても良いし、所定時間経過毎に設定値が自動更新され、ホール管理者等の望む設定値が表示された際にリセットスイッチ１０４を操作することで設定値が確定される構成としても良い。
【０１３７】
（１４）上記実施の形態では、スロットマシン１０について具体化した例を示したが、複数の当選確率を有するとともに設定変更操作を行うことで当選確率を変更することが可能なパチンコ機に適用しても良いし、スロットマシンとパチンコ機とを融合した形式の遊技機に適用しても良い。
【符号の説明】
【０１３８】
１０…遊技機としてのスロットマシン、１１…筐体、３２…循環表示手段を構成すると共に周回体としてのリール、４１…開始操作手段又は始動操作手段としてのスタートレバー、４２〜４４…停止操作手段としてのストップスイッチ、５６〜５８…クレジット投入スイッチ、６５…補助演出部又は補助演出手段を構成する補助表示部、１００…主制御装置ユニット、１０１…制御装置としての主制御装置、１０４…第１操作部としてのリセットスイッチ、１０５…第２操作部としての設定キースイッチ、１０６…設定値表示部としての設定表示部、１１０…基板ボックス、１３１…リセットスイッチ収容部、１３２…第１移動部材としての第１蓋部材、１３２ａ…開口部、１３２ｂ…収容部、１３７ａ…案内溝部、１３７ｂ…案内溝部、１３７ｃ…切欠部、１４１…設定キースイッチ収容部、１４２…第２移動部材としての第２蓋部材、１４６ａ…案内溝部、１４６ｂ…案内溝部、１４７…係止溝部、１５０…ストッパ、１５１…台座装置。
【図１】
0005787109.tif 000002
【図２】
0005787109.tif 000003
【図３】
0005787109.tif 000004
【図４】
0005787109.tif 000005
【図５】
0005787109.tif 000006
【図６】
0005787109.tif 000007
【図７】
0005787109.tif 000008
【図８】
0005787109.tif 000009
【図９】
0005787109.tif 000010
【図１０】
0005787109.tif 000011
【図１１】
0005787109.tif 000012
【図１２】
0005787109.tif 000013